(57)【特許請求の範囲】
【請求項１】
自車位置及び目的地の位置、方向の案内情報を車両の移動に伴ってランドマークを含む地図情報上に画像表示し、かつ選択可能とするナビゲーション表示における案内情報の選択方法において、
前記画像表示された複数の施設に関する情報から少なくとも必要とする施設の種類を設定する条件設定ステップと、
前記設定された施設の種類に基づいて、現在設定されている目的地の位置を基準に所定の範囲にある施設の情報を抽出する目的地周辺検索ステップと、
抽出された目的地周辺の施設をリストアップ表示するリスト表示ステップと、
リストアップされた施設から所定の施設を選択し、目的地として設定する目的地設定ステップと、
を有することを特徴とするナビゲーション表示における案内情報の選択方法。
【請求項２】
上記設定された施設の種類に基づいて、目的地の位置から設定された種類の施設迄の距離情報を演算算出する距離情報演算算出ステップと、
前記距離情報演算算出結果に基づいて、該目的地の位置から距離が近い順に上記目的地周辺の施設をリストアップ表示するリスト表示ステップと、
を有する請求項１に記載のナビゲーション表示における案内情報の選択方法。
【発明の詳細な説明】
【０００１】
【産業上の利用分野】
この発明はナビゲーション装置に関する。
【０００２】
【従来の技術】
車載用のナビゲーション装置は、表示画面上に道路ネットワークや背景、ランドマークや道路名、行政名等の属性等の地図情報を表示し、該地図上に自車の位置を表示すると共に、自車の方向や北方向或いは種々の距離等を表示するように構成されている。そして、該地図上に現在地と目的地を設定した後にナビゲーションを実行するようになっている。
ランドマーク等の案内情報としては、例えば下記に示すようなものが一般的である。
インフォーメーション：  観光案内、名所旧跡、遊技施設、公園、図書館、ゴルフ場、テニス場、等の概略や詳細をテキスト、絵、                          写真、音声等で表示。
セーフティ          ：  車の事故などに対してＪＡＦ、病院などを表示。
アクセス            ：  空港、新幹線、フェリー等の案内を表示。
ハイウェー          ：  首都高速、都市高速、東名、名神等のインターチェンジ、サービスエリア等を案内表示する。
これらのナビゲーションは全てのスイッチ或いは案内情報のスイッチを使い分けて使用するようになっている。
【０００３】
【発明が解決しようとする課題】
しかし従来のナビゲーション装置及び方法においては、地図データベースと案内情報データベースとを効率的に結び付けたものがないため、現在設定されている目的地周辺の案内情報を直接得ることが出来ず、そのため最終的な目的地の設定に時間がかかり、選び出すのにも時間がかかる等の欠点があった。
本発明は上記した従来技術の問題点を解決することを目的とする。
【０００４】
【課題を解決するための手段】
上記目的を達成するために本発明は、自車位置及び目的地の位置、方向の案内情報を車両の移動に伴ってランドマークを含む地図情報上に画像表示し、かつ選択可能とするナビゲーション表示における案内情報の選択方法において、前記画像表示された複数の施設に関する情報から少なくとも必要とする施設の種類を設定する条件設定ステップと、前記設定された施設の種類に基づいて、現在設定されている目的地の位置を基準に所定の範囲にある施設の情報を抽出する目的地周辺検索ステップと、抽出された目的地周辺の施設をリストアップ表示するリスト表示ステップと、リストアップされた施設から所定の施設を選択し、目的地として設定する目的地設定ステップと、
を有することを基本的な特徴とする。
【０００５】
【作用】
条件設定ステップにおいて、画像表示された複数の施設に関する情報から少なくとも必要とする施設の種類を設定し、目的地周辺検索ステップにおいて、前記設定された施設の種類に基づいて、現在設定されている目的地の位置を基準に所定の範囲にある施設の情報を抽出する。そして、抽出された目的地周辺の施設をリストアップ表示し（リスト表示ステップ）、リストアップされた施設から所定の施設を選択し、目的地として設定する。
【０００６】
【実施形態】
以下本発明の実施形態を図面に基づいて説明する。
図１において、表示画面１上の案内情報画面２においては、案内情報の各項目インフォーメーション３、アクセス４、セーフティ５、ハイウェイ６が表示され、これらを任意に選択可能になっている。この選択は例えば表示に対応するキーやタッチパネルの操作によれば良い。ここでインフォーメーション３を選択したとすると、次に表示エリア選択画面７が表示される。ここには自車位置周辺８、目的地周辺９、全国エリア情報２０が表示され、それぞれ任意のものを表示可能である。各データベースには位置データ（緯度、経度）がつけ加えられており、後述するように案内情報から地図上に位置を登録して目的地として設定できるようになっている。
【０００７】
自車位置周辺８又は目的地周辺９を選択すると、自車位置周辺８を選択した場合は自車位置、目的地周辺９を選択した場合は目的地を基準として所定の範囲にある案内情報が読み込まれ、インフォーメーション画面１０となり、種々の施設の選択表示がなされる。ここで宿泊施設１１を選択したとすると、宿泊施設画面１２が表示され、種々の宿泊施設が表示される。今、所定宿泊施設１３を選択したとすると、該所定宿泊施設１３の詳細が示された所定宿泊施設表示画面１４が表示され、ここで位置設定１５を選択すると該所定宿泊施設１３が目的地として設定登録される。これにより案内情報から直接目的地を設定することができる。案内情報画面２の他のアクセス４、セーフティ５、ハイウェイ６の項目についても、上記と同様に目的地として設定可能になっている。
【０００８】
なお、インフォーメーション画面１０において項目を選択した場合、目的地位置と各施設位置との距離を算出して、距離の近い順に表示するようにすることも可能である。この場合の構成を図３により後に説明する。
【０００９】
図２において、目的地周辺９を選択すると（ステップ５０）、データベースから目的地周辺のランドマークを読み込み、前記したようにインフォーメーション画面１０、宿泊施設画面１２、所定宿泊施設表示画面１４などの画面を順次表示選択する（ステップ５１）。そして、位置設定１５の選択があると（ステップ５２）、その位置を目的地としてメモリに記憶し（ステップ５３）、地図画面に該位置を表示する（ステップ５４）。位置設定１５の設定がない場合には終了する。
【００１０】
図３において、目的地周辺９を選択すると（ステップ５５）、データベースから目的地周辺のランドマークを読み込み、前記したようにインフォーメーション画面１０、宿泊施設画面１２、所定宿泊施設表示画面１４などの画面順次表示選択する（ステップ５６）。そして、目的地とランドマークの距離を位置データから求め（ステップ５７）、距離の近い順にリストアップする（ステップ５８）。
所定のランドマークが選択され、位置設定１５の選択があると（ステップ５９）、その位置を目的地としてメモリに記憶し（ステップ６０）、地図画面に該位置を表示する（ステップ６１）。位置設定１５の設定がない場合には終了する。
【００１１】
図４と図５により表示エリア選択画面７において全国エリア選択２０を選択した場合の詳細を説明する。全国エリア選択２０を選択すると、図４に示すように全国エリア選択画面１６となり、全国エリアが表示される。ここで所定のエリアを選択すると都道府県名選択画面１７に切り替わる。この例では関東エリアを選択した例を示しており、関東の各県名が表示される。ここで県名を選択すると、図１の（Ｃ）の表示となり、種々の施設の選択表示がなされる。ここで前記と同様に、宿泊施設１１を選択したとすると、宿泊施設画面１２が表示され、種々の宿泊施設が表示される。また同様に、所定宿泊施設１３を選択したとすると、該所定宿泊施設１３の詳細が示された所定宿泊施設表示画面１４が表示され、ここで位置設定１５を選択すると該所定宿泊施設１３が目的地として設定登録される。これにより案内情報から直接目的地を設定することができる。
図５は上記した各データのツリーを示すものである。
【００１２】
【発明の効果】
以上説明したように本発明は、自車位置及び目的地の位置、方向の案内情報を車両の移動に伴ってランドマークを含む地図情報上に画像表示し、かつ選択可能とするナビゲーション表示における案内情報の選択方法において、前記画像表示された複数の施設に関する情報から少なくとも必要とする施設の種類を設定する条件設定ステップと、
前記設定された施設の種類に基づいて、現在設定されている目的地の位置を基準に所定の範囲にある施設の情報を抽出する目的地周辺検索ステップと、抽出された目的地周辺の施設をリストアップ表示するリスト表示ステップと、リストアップされた施設から所定の施設を選択し、目的地として設定する目的地設定ステップと、を有することを特徴としているため、案内情報から現在設定されている目的地周辺の施設をリストアップし、該リストから最終的な目的地を設定できる効果がある。
【図面の簡単な説明】
【図１】本発明の一実施例を示す説明図。
【図２】本発明の一実施例を示すフローチャート図。
【図３】本発明の一実施例を示すフローチャート図。
【図４】本発明の他の実施例を示す説明図。
【図５】本発明の他の実施例を示すツリー図。
【符号の説明】
１：表示画面、２：案内情報画面、３：インフォーメーション、４：アクセス、５：セーフティ、６：ハイウェイ、７：表示エリア選択画面、８：自車位置周辺、９：目的地周辺、１０：インフォーメーション画面、１１：宿泊施設、１２：宿泊施設画面、１３：所定宿泊施設、１４：所定宿泊施設表示画面、１５：位置設定、１６：全国エリア選択画面、１７：都道府県名選択画面、２０：全国エリア選択。
【図１】
0003569501.tif 000002
【図２】
0003569501.tif 000003
【図３】
0003569501.tif 000004
【図４】
0003569501.tif 000005
【図５】
0003569501.tif 000006